(57)【要約】【課題】使用者の使用状況に合わせて向きや位置を容易に変更することができ、使用者の使い勝手を良好なものとすることができる。【解決手段】上方が開放された上部収納部１３、及び一側面に形成された開口部１１ａを通して側方に開放可能な物品収容領域Ｒを有するワゴン本体１０と、開口部１１ａの下側に開口部１１ａの下縁に沿って配された回転軸Ｃ回りに、開口部１１ａを閉塞する閉塞位置Ｐ０と上端部が開口部１１ａよりも外側に位置し開口部１１ａを開放する開放位置Ｐ１との間で回転可能に設けられた開閉板２１と、を備えた構成のワゴン装置を提供する。【選択図】図５
2018166884.tif 000002
【特許請求の範囲】
【請求項１】
下面にキャスターが設けられ、上方が開放された上部収納部、及び一側面に形成された開口部を通して側方に開放可能な物品収容領域を有するワゴン本体と、
前記開口部の下側に前記開口部の下縁に沿って配された回転軸回りに、前記開口部を閉塞する閉塞位置と上端部が前記開口部よりも外側に位置し前記開口部を開放する開放位置との間で回転可能に設けられた開閉部材と、
を備えていることを特徴とするワゴン装置。
【請求項２】
前記開閉部材の内面には、上方が開口部となる収容ボックスが設けられ、
前記開放位置で前記収容ボックスの内部と、前記ワゴン本体の外部とが連通していることを特徴とする請求項１に記載のワゴン装置。
【請求項３】
前記開閉部材が前記開放位置にあるときに、前記開閉部材に載荷される収容物の図心が、前記開閉部材側に位置する前記キャスターの中心よりも前記ワゴン本体の内空側に位置していることを特徴とする請求項１又は２に記載のワゴン装置。
【請求項４】
前記回転軸は、前記回転軸方向から見て前記ワゴン本体の下端より上方で、かつ内側に位置していることを特徴とする請求項２に記載のワゴン装置。
【請求項５】
前記ワゴン本体には、前記開閉部材が設けられた前記一側面側と反対側の他側面側にカウンターウェイトが設けられていることを特徴とする請求項１乃至４のいずれか１項に記載のワゴン装置。
【請求項６】
前記ワゴン本体は、前記開閉部材の両側に位置する側板の下端部同士を連結する下部連結部材が前記背面板側に設けられ、
前記下部連結部材に前記カウンターウェイトが設けられていることを特徴とする請求項５に記載のワゴン装置。
【請求項７】
請求項１乃至６のいずれか１項に記載のワゴン装置と、前記ワゴン装置を天板の下方空間に配置可能な天板付き什器と、を備えていることを特徴とする天板付き什器システム。
【請求項８】
前記ワゴン装置の前記開閉部材が前記天板付き什器に正対する使用者側に向けて配置されていることを特徴とする請求項７に記載の天板付き什器システム。
【発明の詳細な説明】
【技術分野】
【０００１】
本発明は、オフィスや公共施設等の執務空間において、執務用什器の側に配置して使用されるワゴン装置、及び天板付き什器システムに関する。
【背景技術】
【０００２】
オフィスや公共施設等の執務空間では、執務を効率的に実施するため、執務面を形成する天板を有する天板付き執務用什器が設置されているのが一般的である。
このような天板付き什器の側では、執務者が執務に使用するための物品を収納するためのワゴンが設置されている場合が多い。ワゴンを使用することによって、執務者の執務効率を向上させることができる。そして、これらのワゴンとして、例えば、特許文献１〜４に示されるように、下面にキャスターが設けられるとともに前面に開口する箱型のワゴン本体で構成し、ワゴン本体の内部に物品収容部を形成すると共に、ワゴン本体の上面側にも上部物品収容空間として活用可能とするものが知られている。
【先行技術文献】
【特許文献】
【０００３】
【特許文献１】特許第４２８５７３４号公報
【特許文献２】特許第５２２６４８９号公報
【特許文献３】特許第５３３６１２０号公報
【特許文献４】特許第５８５３３２２号公報
【発明の概要】
【発明が解決しようとする課題】
【０００４】
上述した従来の構造を採用したワゴンを天板付き什器と組み合わせて執務者（使用者）が使用する場合においては、ワゴンを天板付き什器の天板から手前の位置に出した位置に配置することで、ワゴンの上部物品収容空間を活用している。
しかしながら、この場合において、ワゴンの前面開口部が天板付き什器の天板に正対する使用者と異なる方向を向くことになるため、使い勝手が悪く、その点で改善の余地があった。
【０００５】
本発明は、上述する問題点に鑑みてなされたもので、使用者の使用状況に合わせて向きや位置を容易に変更することができ、使用者の使い勝手を良好なものとすることができるワゴン装置、及び天板付き什器システムを提供することを目的とする。
【課題を解決するための手段】
【０００６】
上記目的を達成するため、本発明に係るワゴン装置は、下面にキャスターが設けられ、上方が開放された上部収納部、及び一側面に形成された開口部を通して側方に開放可能な物品収容領域を有するワゴン本体と、前記開口部の下側に前記開口部の下縁に沿って配された回転軸回りに、前記開口部を閉塞する閉塞位置と上端部が前記開口部よりも外側に位置し前記開口部を開放する開放位置との間で回転可能に設けられた開閉部材と、を備えていることを特徴としている。
【０００７】
また、本発明に係る天板付き什器システムは、上述したワゴン装置と、前記ワゴン装置を天板の下方空間に配置可能な天板付き什器と、を備えていることを特徴としている。
【０００８】
本発明では、開閉部材を閉塞位置から開放位置に回転させることで、ワゴン本体の内部の物品収容領域に対してファイル等の収容物を上方からアクセスして容易に出し入れすることができる。そして、ワゴン装置はキャスターによって移動自在であるので、開閉部材の位置を使用者が使い易い位置に向けて配置することができる。とくに、ワゴン装置を天板付き什器と組み合わせて使用する際には、ワゴン装置を天板付き什器の天板下方から出して配置させたときであっても、天板付き什器の天板に正対した使用者がワゴン装置の上部収納部と物品収容領域に収容物を容易に出し入れできることから、什器としての使い勝手を良好なものとすることができる。
【０００９】
また、本発明に係るワゴン装置は、前記開閉部材の内面には、上方が開口部となる収容ボックスが設けられ、前記開放位置で前記収容ボックスの内部と、前記ワゴン本体の外部とが連通していることを特徴としてもよい。
【００１０】
この場合には、開閉部材の回動とともに収容物を収容可能な収容ボックスも閉塞位置と開放位置との間で回動するため、開閉部材を開放位置にしたときに収容ボックスに対してファイル等の収容物の出し入れを簡単に行うことができ、さらに使い勝手が良好となる。
【００１１】
また、本発明に係るワゴン装置は、前記開閉部材が前記開放位置にあるときに、前記開閉部材に載荷される収容物の図心が、前記開閉部材側に位置する前記キャスターの中心よりも前記ワゴン本体の内空側に位置していることが好ましい。
【００１２】
この場合には、開放位置にある開閉部材に荷重をかける収容物の図心の位置が、開閉部材側に位置するキャスターの中心よりもワゴン本体の内空側となるので、開閉部材にかかる荷重を開閉部材側に位置するキャスターによって効率よく支持することができる。そのため、開閉部材を開いた状態でもワゴン装置全体の荷重をバランスさせて安定した姿勢を維持することが可能となり、ワゴン装置が開閉部材側に傾いて転倒することを防止することができる。
【００１３】
また、本発明に係るワゴン装置は、前記回転軸は、前記回転軸方向から見て前記ワゴン本体の下端より上方で、かつ内側に位置していることが好ましい。
【００１４】
このようなワゴン装置によれば、開閉部材を開放位置としたときの開閉部材の重心位置をワゴン本体の内側に位置させることができるので、ワゴン装置が開閉部材側に傾いて転倒することを防止することができ、什器としての安定性を高めることができる。
【００１５】
また、本発明に係るワゴン装置は、前記ワゴン本体には、前記開閉部材が設けられた前記一側面側と反対側の他側面側にカウンターウェイトが設けられていることが好ましい。
【００１６】
この場合には、ワゴン本体において開閉部材が設けられた一側面側と反対側の他側面側にカウンターウェイトを設けることで、ワゴン装置全体の重心の位置を他側面側に移動させることができる。そのため、開放位置にある開閉部材側への荷重の偏りを小さく抑えることができ、ワゴン装置全体の荷重バランスを良好とすることができ、ワゴン装置が転倒することを防止することができる。
【００１７】
また、本発明に係るワゴン装置は、前記ワゴン本体は、前記開閉部材の両側に位置する側板の下端部同士を連結する下部連結部材が前記背面板側に設けられ、前記下部連結部材に前記カウンターウェイトが設けられていることが好ましい。
【００１８】
この場合には、側壁の下端部同士を連結するという補強機能をもつ下部連結部材にカウンターウェイトが設けられているので、カウンターウェイトを安定した姿勢で確実に保持させることができる。
【００１９】
また、本発明に係る天板付き什器システムは、前記ワゴン装置の前記開閉部材が前記天板付き什器に正対する使用者側に向けて配置されていることが好ましい。
【００２０】
この場合には、上部収納部と物品収容領域とを天板付き什器の天板に正対した使用者が使い易い位置に配置することができ、什器としての使い勝手を良好なものとすることができる。
【発明の効果】
【００２１】
本発明のワゴン装置、及び天板付き什器システムによれば、使用者の使用状況に合わせて向きや位置を容易に変更することができ、使用者の使い勝手を良好なものとすることができる。
【図面の簡単な説明】
【００２２】
【図１】本発明の実施の形態による天板付き什器システムの全体構成を示す斜視図である。
【図２】図１に示すワゴン装置の斜視図であって、開閉板を開放位置とした状態を示す図である。
【図３】図１に示すワゴン装置の斜視図であって、開閉板を閉塞位置とした状態を示す図である。
【図４】ワゴン装置を正面側から見た正面図である。
【図５】図４に示すＡ−Ａ線断面図であって、開閉板を閉塞位置とした状態を示す図である。
【図６】図４に示すＡ−Ａ線断面図であって、開閉板を開放位置とした状態を示す図である。
【図７】図４に示すＢ−Ｂ線断面図であって、開閉板を閉塞位置とした状態を示す図である。
【図８】ワゴン装置の底枠の構成を示す要部拡大図であって、後面側から見た図である。
【図９】複数のワゴン装置を収容するキャビネットの正面図である。
【発明を実施するための形態】
【００２３】
以下、本発明の実施の形態によるワゴン装置、及び天板付き什器システムについて、図面に基づいて説明する。
【００２４】
図１に示す本実施の形態による天板付き什器システムは、ワゴン装置１と、ワゴン装置１を天板５１の下方空間に配置可能なデスク５（天板付き什器）と、を備えた構成のものである。本実施の形態によるワゴン装置１は、例えばオフィスにおいて、デスク５（天板付き什器）で執務している使用者が椅子（図示省略）に着座した位置の傍に配置することにより、出し入れし易いように書類等を収納するためのものである。
ワゴン装置１は、ボックス形状に形成され、下面１ａの四隅にキャスター１２が設けられて移動自在に設けられ、後述するキャビネット６（図９参照）に複数収容することが可能な構成となっている。
【００２５】
デスク５は、天板５１と、床面上に互いに間隔をあけて配置され、天板５１を支持する４本の天板支持脚５２と、天板５１の後端５１ａに取り付けられたパーテーション５３と、を備えている。なお、デスク５の形状、形態は、本実施の形態に限定されることはなく、適宜なものを採用することができ、例えばパーテーション５３を省略することも可能である。
【００２６】
図２乃至図４に示すように、ワゴン装置１は、上方が開放された上部収納部１３、及び一側面（後述する正面板１１Ａ）に形成された開口部１１ａを通して側方に開放可能な物品収容領域Ｒを有するワゴン本体１０と、開口部１１ａの下側に開口部１１ａの下縁に沿って配された回転軸Ｃ回りに、開口部１１ａを閉塞する閉塞位置Ｐ０と上端部が開口部１１ａよりも外側に位置し開口部１１ａを開放する開放位置Ｐ１との間で回転可能に設けられた開閉板２１と、を備えている。
そして、開閉板２１の内面には、上方が開口部となる収容ボックス２０が設けられている。開放位置Ｐ１において、収容ボックス２０の内部と、ワゴン本体１０の外部とが連通するように構成されている。
【００２７】
ワゴン本体１０は、４つの側板（１１Ａ、１１Ｂ、１１Ｃ、１１Ｄ）と底枠１４とから形成される一方向（本実施の形態では回転軸Ｃ方向、後述する前後方向Ｄｆ）に長い直方体の箱形状に形成されている。４つの側板は、一方向に対向する一対の正面板１１Ａ、背面板１１Ｂ、及び他方向に対向する一対の前面板１１Ｃ、後面板１１Ｄからなる。正面板１１Ａは、前述した開閉板２１を同一面上に配置し、背面板１１Ｂと互いに平行に設けられている。また、前面板１１Ｃ及び後面板１１Ｄは、互いに平行に設けられている。
【００２８】
ここで、ワゴン装置１において、ワゴン本体１０の正面板１１Ａ及び背面板１１Ｂの各面方向に直交する方向を左右方向Ｄｈといい、上方から見た平面視で左右方向Ｄｈに直交する方向を前後方向Ｄｆという。そして、左右方向Ｄｈで正面板１１Ａを正面側といい、その反対側を背面側という。
【００２９】
図５及び図６に示すように、ワゴン装置１の正面側に配置される開閉板２１は、正面板１１Ａ下方の開口部１１ａを開閉可能に塞ぐものであり、下端側を回転軸Ｃとして閉塞位置Ｐ０と開放位置Ｐ１との間で回動される。具体的に、本実施の形態による回転軸Ｃは、収容ボックス２０に設けられ、回転軸Ｃ方向から見てワゴン本体１０の下端より上方で、かつ内側に位置している。
これにより開閉板２１を開いて開放位置Ｐ１にすることで、ワゴン本体１０内の物品収容領域Ｒとワゴン本体１０より外側の外部領域とが連通するように構成されている。
そして、ワゴン装置１を前後方向Ｄｆがデスク５（図１参照）の前後方向に一致させて天板５１下方の空間に対して出し入れすることで、開閉板２１が椅子に座る使用者側に向くように配置させることができる。
【００３０】
４つの側板（１１Ａ、１１Ｂ、１１Ｃ、１１Ｄ）は、図２及び図３に示すように、全て上端の高さが一致している。正面板１１Ａは、上下寸法が他の３つの側板（１１Ｂ、１１Ｃ、１１Ｄ）よりも小さく、ワゴン本体１０の上部側のみに配置されている。そのため、正面板１１Ａの下方部分には、開閉板２１によって閉止される矩形状の開口部１１ａが形成されている。
【００３１】
図７に示すように、一対の前面板１１Ｃ及び後面板１１Ｄのそれぞれ対向する内面１１ｂ、１１ｂには、回転軸Ｃに同軸線上となる位置に回転支持軸１５が設けられている。回転支持軸１５は、円柱状の部材からなり、前面板１１Ｃ及び後面板１１Ｄの内面１１ｂから突出している。
【００３２】
図８に示すように、底枠１４は、底カバー１６と、底カバー１６の正面側に固定された正面支持枠３０と、底カバー１６の背面側に固定された背面支持枠４０（下部連結部材）と、を有している。正面支持枠３０と背面支持枠４０は、キャスター１２を取り付けるための補強部材であり、それぞれ前後方向Ｄｆに延在して両端が前面板１１Ｃ、後面板１１Ｄに接続され部材としてスチール等の剛性を有する金属製の部材が採用されている。
【００３３】
底カバー１６は、ワゴン本体１０の下面を覆う板状のカバー本体１６Ａと、カバー本体１６Ａの外周縁から上方に向けて延びる外周リブ１６Ｂと、を有している。底カバー１６における正面側の外縁端を除く３辺の外縁端には、背面板１１Ｂ、前面板１１Ｃ、及び後面板１１Ｄが接続されている。底カバー１６には、キャスター１２の配置部分に開口穴１６ａが形成されている。
【００３４】
正面支持枠３０は、下面３１ａにキャスター１２が固定される第１下壁３１と、第１下壁３１の外縁部から下方に延ばされさらに上向きに折り返された折返し壁３２と、第１下壁３１の背面側の端部から背面側に向けて斜め上方に延びる傾斜壁３３と、を備えている。
第１下壁３１に固定されたキャスター１２は、底カバー１６の開口穴１６ａを通して底カバー１６より下方に突出している。折返し壁３２は、底カバー１６の外周リブ１６Ｂの内側に固定されている。
【００３５】
傾斜壁３３には、例えばノックダウン金具等の第１連結部材３５を介して第１弾性ゴム３４が固定されている。第１弾性ゴム３４の当接面３４ａは、傾斜壁３３の面とほぼ平行をなし、正面側に向けて斜め上向きの姿勢となっている。第１弾性ゴム３４は、開閉板２１が開く方向への回動を規制するストッパーとして機能する。つまり、開閉板２１が開放位置Ｐ１となったときに、開閉板２１の下端２１ａが第１弾性ゴム３４に当接してその回動が停止することになる。
【００３６】
第１連結部材３５は、傾斜壁３３に着脱可能に連結されるものであり、雄ねじを形成した連結ピン３５Ａと、連結ピン３５Ａの雄ねじが螺合される雌ねじ孔を有する円柱状の連結駒３５Ｂとからなる公知のものであり、連結ピン３５Ａの雄ねじと反対側は拡径頭部が形成されている。連結駒３５Ｂの円形状の先端面に第１弾性ゴム３４が固着されている。本実施の形態では、傾斜壁３３に形成されている貫通穴に下方から連結ピン３５Ａを挿通させ、その連結ピン３５Ａの雄ねじを斜め正面側を向く当接面側に配置する連結駒３５Ｂの雌ねじ孔に螺合させることで連結される。これにより、傾斜壁３３を連結駒３５Ｂと連結ピン３５Ａの拡径頭部で挟持することにより、第１連結部材３５が傾斜壁３３に固定され、連結駒３５Ｂの先端面に第１弾性ゴム３４が固着される。
【００３７】
背面支持枠４０は、下面４１ａにキャスター１２が固定される第２下壁４１と、第２下壁４１の外縁部から上方に延ばされた縦壁４２と、縦壁４２の上端から正面側に向けて突出した張出し片４３と、を備えている。
第２下壁４１に固定されたキャスター１２は、底カバー１６の開口穴１６ａを通して底カバー１６より下方に突出している。縦壁４２は、背面板１１Ｂの内側に固定されている。
【００３８】
背面支持枠４０には、第２下壁４１と張出し片４３の上下方向の隙間にカウンターウェイト４４を配置可能な収容凹部４０ａが形成されている。
カウンターウェイト４４は、平板状をなし、適宜な枚数（ここでは３枚）を上下に重ねた状態で第２下壁４１に載置されている。各カウンターウェイト４４には厚さ方向に貫通する貫通孔（図示省略）が開いていて、これら貫通孔を同軸となるように配置してビスによって固定されている。このように、カウンターウェイト４４がワゴン本体１０において左右方向Ｄｈで開閉板２１が設けられた一側面側（正面板１１Ａ）と反対側の例えば側面側に設けられているので、開閉板２１が開放位置Ｐ１で開いている状態で正面側にかかる荷重に対してカウンターウェイト４４で左右方向Ｄｈの荷重をバランスさせることができる。
また、この場合には、補強機能をもつ背面支持枠４０にカウンターウェイト４４が設けられているので、カウンターウェイト４４を安定した姿勢で確実に保持させることができる。
【００３９】
張出し片４３には、例えばノックダウン金具等の第２連結部材４５を介して第２弾性ゴム４６が固定されている。第２弾性ゴム４６は、当接面４６ａを上向きとした姿勢となっている。第２弾性ゴム４６は、開閉板２１が閉じる方向への回動を規制するストッパーとして機能する。つまり、開閉板２１が閉塞位置Ｐ０となったときに、開閉板２１を含む収容ボックス２０の背面側下端２０ａ（図５参照）が第２弾性ゴム４６に当接してその回動が停止することになる。
【００４０】
第２連結部材４５は、張出し片４３に着脱可能に連結されるものであり、雄ねじを形成した連結ピン４５Ａと、連結ピン４５Ａの雄ねじが螺合される雌ねじ孔を有する円柱状の連結駒４５Ｂとからなる公知のものであり、連結ピン４５Ａの雄ねじと反対側は拡径頭部が形成されている。連結駒４５Ｂの円形状の先端面に第２弾性ゴム４６が固着されている。本実施の形態では、張出し片４３に形成されている貫通穴に下方から連結ピン４５Ａを挿通させ、その連結ピン４５Ａの雄ねじを斜め正面側を向く当接面側に配置する連結駒４５Ｂの雌ねじ孔に螺合させることで連結される。これにより、張出し片４３を連結駒４５Ｂと連結ピン４５Ａの拡径頭部で挟持することにより、第２連結部材４５が張出し片４３に固定され、連結駒４５Ｂの先端面に第２弾性ゴム４６が固着される。
【００４１】
図２及び図３に示すように、上部収納部１３は、ワゴン本体１０の上方に配置され、側板（１１Ａ、１１Ｂ、１１Ｃ、１１Ｄ）によって囲まれることにより構成されている。上部収納部１３の底部は上下仕切板１７（図５及び図６参照）となっており、この上下仕切板１７によって上部収納部１３と物品収容領域Ｒとが上下に仕切られて画成されている。
【００４２】
図５及び図６に示すように、収容ボックス２０は、上述した開閉板２１の下端に接続される底板２２と、開閉板２１の前後端２１ｂから背面側に向けて延びる前後一対の側板２３、２３と、一対の側板２３、２３のそれぞれの背面側の端部に配置される背面板２４と、を備えている。
【００４３】
収容ボックス２０は、開閉板２１とともにワゴン本体１０に設けられる回転軸Ｃ回りに回動可能に設けられている。つまり、収容ボックス２０は、前後方向Ｄｆを回転中心として回動し、開閉板２１が正面板１１Ａと同一平面上に位置した位置で閉じた状態となる。収容ボックス２０を構成する一対の側板２３、２３、及び背面板２４は、開閉板２１よりも半分以下の高さに設定されている。
そして、収容ボックス２０は、閉塞位置Ｐ０において、開閉板２１と正面板１１Ａとの間に上下方向の隙間１１ｃ（図３及び図４参照）が形成されており、この隙間１１ｃから指をワゴン本体１０内に差し込み、指で開閉板２１上部を手前に引くことで開閉板２１を手前に回動させることができる。
【００４４】
収容ボックス２０の側板２３、２３の外面には、回転支持軸１５に回転可能に係止する回動被支持部２５が設けられている。回動被支持部２５は、閉塞位置Ｐ０において下向きに開口し、ワゴン本体１０の前面板１１Ｃ及び後面板１１Ｄに設けられている回転支持軸１５に対して回転自在に嵌合する凹部２５ａを有している。これにより、回動被支持部２５は、凹部２５ａが回転支持軸１５回りに回転するため、収容ボックス２０が回転軸Ｃ回りに回動する。
【００４５】
このような収容ボックス２０は、上方が開口部となり、上方から収容ボックス２０内にファイル等の収容物Ｋを収容することができる。
なお、本実施の形態のワゴン装置１では、開閉板２１が開放位置Ｐ１にあるときに、収容ボックス２０内に収容される収容物Ｋの図心ｚが、正面側に位置するキャスター１２の中心１２ａよりもワゴン本体１０の内空側に位置するように設定されている。なお、キャスター１２の中心１２ａは、コロを鉛直軸回りに回転させるコロ回転軸１２Ｃ（図５に示す鉛直方向の二点鎖線）に位置する。つまり、本実施の形態のワゴン装置１では、図５及び図６のように回転軸Ｃ方向から見て、図心ｚはコロ回転軸１２Ｃよりもワゴン本体１０の内側に位置するように設定されている。
【００４６】
次に、上述したワゴン装置、及び天板付き什器システムの作用について、図面に基づいて詳細に説明する。
図５及び図６に示すように、本実施の形態の構成によれば、開閉板２１を閉塞位置Ｐ０から開放位置Ｐ１に回転させることで、ワゴン本体１０の内部の物品収容領域Ｒに対してファイル等の収容物Ｋを上方からアクセスして容易に出し入れすることができる。そして、ワゴン装置１はキャスター１２によって移動自在であるので、開閉板２１の位置を使用者が使い易い位置に向けて配置することができる。
とくに、図１に示すように、ワゴン装置１をデスク５と組み合わせて使用する際には、ワゴン装置１をデスク５の天板５１下方から出して配置させたときであっても、デスク５の天板５１に正対した使用者がワゴン装置１の上部収納部１３と物品収容領域Ｒに収容物Ｋを容易に出し入れできることから、什器としての使い勝手を良好なものとすることができる。
【００４７】
また、本実施の形態では、図５及び図６に示すように、開放位置Ｐ１にある開閉板２１に荷重をかける収容物Ｋの図心ｚの位置が、開閉板２１側（正面側）に位置するキャスター１２の中心１２ａよりもワゴン本体１０の内空側となるので、開閉板２１側にかかる荷重を開閉板２１側に位置するキャスター１２によって効率よく支持することができる。そのため、開閉板２１を開放位置Ｐ１とした場合でもワゴン装置１全体の荷重をバランスさせて安定した姿勢を維持することが可能となり、ワゴン装置１が開閉板２１側に傾いて転倒することを防止することができる。
【００４８】
また、本実施の形態では、開閉板２１の回動とともに収容物Ｋを収容可能な収容ボックスも閉塞位置Ｐ０と開放位置Ｐ１との間で回動するため、開閉板２１を開放位置Ｐ１にしたときに収容ボックス２０に対してファイル等の収容物Ｋの出し入れを簡単に行うことができ、さらに使い勝手が良好となる。
【００４９】
さらに、本実施の形態では、回転軸は、収容ボックス２０に設けられ、回転軸方向から見て下端より上方で、かつ内側に位置しているので、開閉板２１を開放位置Ｐ１としたときの開閉板２１の重心位置をワゴン本体１０の内側に位置させることができ、ワゴン装置１が開閉板２１側に傾いて転倒することを防止することができ、什器としての安定性を高めることができる。
【００５０】
また、本実施の形態では、ワゴン本体１０において開閉板２１が設けられた一側面側と反対側の他側面側にカウンターウェイト４４を設けることで、ワゴン装置１全体の重心の位置を他側面側に移動させることができる。そのため、開放位置Ｐ１にある開閉板２１側への荷重の偏りを小さく抑えることができ、ワゴン装置１全体の荷重バランスを良好とすることができ、ワゴン装置１が転倒することを防止することができる。
【００５１】
上述のように本実施の形態によるワゴン装置、及び天板付き什器システムでは、使用者の使用状況に合わせて向きや位置を容易に変更することができ、使用者の使い勝手を良好なものとすることができる。
【００５２】
以上、本発明によるワゴン装置、及び天板付き什器システムの実施の形態について説明したが、本発明は上記の実施の形態に限定されるものではなく、その趣旨を逸脱しない範囲で適宜変更可能である。
【００５３】
例えば、本実施の形態では、ワゴン装置１として、回転軸Ｃの位置を回転軸Ｃ方向から見てワゴン本体１０の下端より上方で、かつ内側に位置している構成としているが、これに限定されることはない。例えば、開閉板２１の下端２１ａを回転軸Ｃとし、その回転軸Ｃを正面板１１Ａと同一面上とした構成であってもよい。この場合、上述した実施の形態のように開閉板２１の下端２１ａが左右方向Ｄｈでワゴン本体１０の内側に移動することはない。
また、本実施の形態のように収容ボックス２０を開閉板２１に設けない構成であってもよい。この場合、開閉板２１のみの開閉となる。
【００５４】
また、開閉板２１の表面には、開閉操作用の取っ手等が設けられていてもよい。この場合には、開閉板２１と正面板１１Ａとの間に形成された本実施の形態のような隙間１１ｃを省略することも可能である。
【００５５】
さらに、本実施の形態のワゴン装置１は、図９に示すように、複数台（図９では３台）のワゴン装置１を収納可能なキャビネット６を設けることも可能である。このキャビネット６は、上部に施錠可能な個人用のキャビネット本体６１が設けられ、これらキャビネット本体６１の下方の収納部６２に３台のワゴン装置１を前後方向Ｄｆをキャビネット６の奥行き方向に向けて前面板１１Ｃを表面に向けた状態で収納することができる。このように、収納されたワゴン装置１は、前面板１１Ｃのみが露出されていて、収容物が見えないように構成されている。
【００５６】
その他、本発明の趣旨を逸脱しない範囲で、上記した実施の形態における構成要素を周知の構成要素に置き換えることは適宜可能である。
【符号の説明】
【００５７】
１  ワゴン装置
５  デスク（天板付き什器）
６  キャビネット
１０  ワゴン本体
１１Ａ  正面板
１１Ｂ  背面板
１１Ｃ  前面板
１１Ｄ  後面板
１２  キャスター
１２ａ  中心
１３  上部収納部
１４  底枠
１５  回転支持軸
１６  底カバー
１７  上下仕切板
２０  収容ボックス
２１  開閉板（開閉部材）
２１ａ  下端
２５  回動被支持部
３０  正面支持枠
３４  第１弾性ゴム
４０  背面支持枠
４４  カウンターウェイト
４６  第２弾性ゴム
Ｄｈ  左右方向
Ｄｆ  前後方向
Ｃ  回転軸
Ｐ０  閉塞位置
Ｐ１  開放位置
ｚ  図心
【図１】
2018166884.tif 000003
【図２】
2018166884.tif 000004
【図３】
2018166884.tif 000005
【図４】
2018166884.tif 000006
【図５】
2018166884.tif 000007
【図６】
2018166884.tif 000008
【図７】
2018166884.tif 000009
【図８】
2018166884.tif 000010
【図９】
2018166884.tif 000011